Podtech/llm-jp-corpus-v4-ja_patent huggingface dataset:
(57)【要約】      （修正有）【課題】垂直物体への脱着が容易で、立位で身体を密着させ寄りかかり身体を自在に動かすことでマッサージ効果が得られ、多様に利用できる弾性ボールマッサージ器を提供する。【解決手段】弾性ボールマッサージ器は、合板１の片面に１ｍｍのゴムシート５が接着され、ゴムシート５の上にウレタンゴムボール２ａ、２ｂが回転移動と配置移動が可能で、落下防止されるようストレッチ布帛７で被覆され、合板１の反対面には、５ｍｍのスポンジゴム３と粘着ゴム４が同じ厚みで接着され、垂直物体への脱着と操作が容易である。【選択図】図２
0003232304.tif 000002
【実用新案登録請求の範囲】
【請求項１】
合板に弾性ボールを複数個平行に配置したマッージ器であって、長辺が２０〜４０ｃｍ、短辺が１０〜２５ｃｍ、厚みが０．５〜２ｃｍである合板と該合板の片面に接着した０．５〜３ｍｍの弾性シートと弾性シート上に配置された３〜５ｃｍの弾性ボールが、周囲と中央部に０．５ｍｍ〜２ｍｍのゴムシートを備えた被覆用のストレッチ布帛を有し平行に間隔が保たれるように制限し固定され、合板の反対面には、厚み０．３〜１ｃｍのスポンジゴムの一部に粘着層を有し合板に接着されていることを特徴とする弾性ボールマッサージ器。
【考案の詳細な説明】
【技術分野】
【０００１】  本考案は、場所を選ばず、各部位に操作が可能で多様に使用ができる、マッサージ器に関するものである。
【背景技術】
【０００２】  従来、弾性ボールを用いたマッサージ器は、マッサージレバーが知られている。しかしながら、弾性ボールは、固定されて、この原理でもって押さえるマッサージ器である。
【先行技術文献】
【特許文献】
【０００３】
【特許文献１】特表２０１２−５０８０６１公報
【考案の概要】
【考案が解決しようとする課題】
【０００４】  解決しょうとする問題点は、従来、部位が限定され設置に時間を要し、また、利用場所が限定され持ち運びが不便であり、本考案は、場所を選ばず、各部位への対応ができ、装着が簡単で持ち運びが楽であり、前述の欠点を解決しょうとするものである。
【課題を解決するための手段】
【０００５】  本考案は、軽量化とエコのため合板が好ましく、長辺が２０〜４０ｃｍ、短辺が１０〜２５ｃｍ、厚みが０．５〜２ｃｍである合板の片面に接着した０．５〜３ｍｍのゴムシート上に平行に設定されたウレタンゴムボールとゴムシートの弾性と摩擦力により、ボールの回転が安定し、周囲と中央部に０．５ｍｍ〜２ｍｍのゴムシートを備えたストレッチを有する布帛で被覆されることでボールの配置が変えら、落下防止と回転可能に動きを制限し固定され、また、合板の反対面には、厚みが０．３〜１０ｍｍのスポンジゴムの一部に粘着ゴムを有し接着されていることで問題点を解決している。
【考案の効果】
【０００６】  本考案は、合板を利用することで軽量化とエコになっており、合板の物体面に粘着ゴムが設けられたことで垂直な物体への脱着が簡単となり部位への設定が容易で物体を傷めることなく、合板の身体面にゴムシートが接着され、ウレタンゴムボールの回転が安定化されている。また、ゴムシートを備えたストレッチを有する布帛により平行に設定された複数のボールの配置が変えられ、広範囲に部位への設定が可能である。
垂直物体に設置された器具本体のボールに起立して寄りかかり密着させ自分自身で身体を移動させて、ボールを転がすことで、マッサージ効果が得られ、僧帽筋、広背筋、菱形筋、肩甲挙筋、頭板状筋、また、脊柱起立筋、等に効果が得られ、腰掛けても多様に利用でき場所をとらないという利点がある。
【図面の簡単な説明】
【０００７】
【図１】本考案の斜視図
【図２】本考案の断面図
【図３】本考案の平面図
【考案を実施するための形態】
【０００８】  長辺が２０ｃｍ、短辺が１２ｃｍ、厚みが０．５ｃｍの合板と該合板の片面に１ｍｍのゴムシートが接着され、ゴムシートの上に４ｃｍのウレタンゴムボールが平行に配置され、周囲と中央部に０．５ｍｍのゴムシートを備えた被覆用のストレッチ布帛によって回転移動とウレタンゴムボールの配置が変えられ、平行に配置されたウレタンゴムボールを転がした時のストレッチ布帛の伸縮範囲内に合板のサイズを定め脱着時に持ちやすくなるよう合板の中央部短辺は、９ｃｍと平面がめがね型になっている。合板の反対面には、５ｍｍのスポンジゴムと同じ厚みで一部に粘着ゴムを有し接着され、垂直物体への操着が可能で、器具本体のウレタンゴムボールに、立位で背部を密着させ寄りかかり身体を動かし思うがままにマッサージを得られる。
【実施例】
【０００９】  図２は、本考案器具の実施例の断面図であって２ａ、２ｂと６、７は、図１、図３と同様である。長辺が２０ｃｍ、短辺が１２ｃｍ、厚みが０．５ｃｍの合板１の身体面に１ｍｍのゴムシート５が接着され、ゴムシート５の上にウレタンゴムボール２ａ、２ｂが回転が安定するように設けられ、合板１の物体面に０．５ｃｍのスポンジゴム３の一部に粘着ゴム４を有し接着されており、身体面の平行に設定されたウレタンゴムボール２ａ、２ｂが、周囲と中央部に０．５ｍｍのゴムシート６を備えたストレッチ布帛７で落下防止とウレタンゴムボール２ａ、２ｂの回転移動が可能でウレタンゴムボール２ａ、２ｂの配置が変えられ、合板１とスポンジゴム３の側面に合わせ被覆され接着された器具である。本考案によりマッサージ効果が得られる。
【符号の説明】１、合板
２、ａウレタンゴムボール  ｂ．ウレタンゴムボール
３、スポンジゴム
４、粘着ゴム
５、ゴムシート
６、固定用ゴムシート
７、ストレッチ布帛
【図１】
0003232304.tif 000003
【図２】
0003232304.tif 000004
【図３】
0003232304.tif 000005
【手続補正書】
【提出日】令和3年2月5日(2021.2.5)
【手続補正１】
【補正対象書類名】実用新案登録請求の範囲
【補正対象項目名】全文
【補正方法】変更
【補正の内容】
【実用新案登録請求の範囲】
【請求項１】
合板に弾性ボールを複数個平行に配置したマッサージ器であって長辺が２０〜４０ｃｍ、短辺が１０〜２５ｃｍ、厚みが０．５〜２ｃｍである合板と該合板の片面に接着した０．５〜３ｍｍの弾性シートと弾性シート上に配置された３〜５ｃｍの弾性ボールが、周囲と中央部に０．５ｍｍ〜２ｍｍのゴムシートを備えた被覆用のストレッチ布帛を有し平行に間隔が保たれるように制限し固定され、合板の反対面には厚み０．３〜１ｃｍのスポンジゴムの一部に粘着層を有し合板に接着されていることを特徴とする弾性ボールマッサージ器。
(57)【要約】      （修正有）【課題】マスクをしたまま、ジョギングや歌唱をすると息苦しくなり、ジョギングや歌唱を続けることが不可能になる。よって、マスクをしたままでも、ジョギングや歌唱を続けることを可能にし、健康増進、ストレス解消に寄与するマスクを提供する。【解決手段】マスク本体と通気調整品とを一体化し、呼吸時に通気口を開閉することにより、マスクの菌拡散防止機能を保ち、吸気の息苦しさを改善する。【選択図】図５
0003232312.tif 000002
【実用新案登録請求の範囲】
【請求項１】
テーパー穴に空気圧で浮遊する移動体を入れ、移動体の移動により通気口の開閉を行うことを特徴とする通気調整品。
【請求項２】
顔面の口及び鼻を覆うためのマスクと請求項１の通気調整品とを一体化し、強い吸息時のみ通気調整品の通気口を開けて吸気を容易にし、吐息時または休息時には、通気口を閉じることを特徴とするマスク。
【考案の詳細な説明】
【技術分野】
【０００１】        息苦しさの改善を図るマスク。
【考案の概要】
【考案が解決しようとする課題】
【０００２】          マスクをしたまま、ジョギングや歌唱をすると息苦しくなり、続けることが不可能です。吸息を助け息苦しさを改善するマスクを提供し、マスクをしたまま、ジョギングや歌唱をすることを可能にしたい。
【課題を解決するための手段】
【０００３】          マスク本体と請求項１にあげた通気調整品との一体化により、強い吸息時には、通気調整品の通気口を開いて吸気を容易にする。
【考案の効果】
【０００４】          マスクと請求項１の通気調整品とを一体化し、強い吸息時のみ通気口を開けて吸気を容易にし、吐息時または休息時には、通気口を閉じることにより、マスクの菌拡散防止機能を保ちつつ、吸気の息苦しさを改善する。
【図面の簡単な説明】
【０００５】
【図１】は、通気調整品を上から見た図です。通気調整品本体にテーパー穴加工を施し、その穴の中に浮遊する移動体を入れ、移動体の上部飛び出しを防止するため、穴の上に防止物を固定する。
【図２】は、図１を右側面から見た図です。
【図３】は、図１を手前側面から見た図です。
【図４】は、図１の浮遊する移動体の通気口開閉時の状態を表しています。
【図５】は、マスク本体の下部に通気調整品を一体化し、正面から見ています。
【図６】は、図５を上部から見た図です。
【図１】
0003232312.tif 000003
【図２】
0003232312.tif 000004
【図３】
0003232312.tif 000005
【図４】
0003232312.tif 000006
【図５】
0003232312.tif 000007
【図６】
0003232312.tif 000008
(57)【要約】      （修正有）【課題】体幹に貼り付けて体温測定または体温の変化を色の変化で確認できる体調確認ツールを提供する。【解決手段】体温状況を色の変化で確認できる体調確認シールで構成されている。体温の変化を色の変化で表わすシールを外気の影響がない体の部分に貼り付け、出来る限り体温の変化のみを表わすようにする。こうすれば常に体温状況を自分で確認でき、体調の変化を自分で管理できるようになる。【選択図】図２
0003232398.tif 000002
【実用新案登録請求の範囲】
【請求項１】
体温状況を色の変化で確認できる体調確認シール。
【考案の詳細な説明】
【技術分野】
【０００１】
本考案は設定された閾値を超えると色の変化があり、その色の変化で発熱者の区別が可能になるものである。
【背景技術】
【０００２】
従来の体温測定は体温計で測定することで構成されている。  
【考案の概要】
【考案が解決しようとする課題】
【０００３】
本考案は体幹に貼り付けて体温測定または体温の変化を色の変化で表すことを課題とする。
【課題を解決するための手段】
【０００４】
上記目的を達成するために、一回一回体温計で測定することなく、本考案は体温の変化によって色が変化するシールを製作し、そのシールを体幹に貼り付け、色の変化によって常に自分の体温状況が分かることを目的としたものである。
【考案の効果】
【０００５】
体温計で測定することなく、一度体に貼ってしまえば常時体温状況が表示されるのである。
【図面の簡単な説明】
【０００６】
【図１】1点設定温度シール図面
【図２】複数点設定温度シール図面
【考案を実施するための形態】
【０００７】
以下、本考案の実施の形態を図に基づいて説明する。
【実施例１】
【０００８】
図1は中枠が設定温度以上で常に黒色となり、設定温度以下になると赤色になるシールである。設定温度は自由に変更可能で、体温が何度になると異常になるのかを導き出し、その温度を設定温度にするシールである。この場合３８°Ｃで中枠が赤色から黒色に変わるシールである。
【実施例２】
【０００９】
図２は複数の設定温度が設定できるシールである。図２の場合左の中枠から３５−３６−３７−３８−３９−４０°Ｃの６点の温度設定のシールである。３８°まで赤色になっているので、３８°代に到達していることをあらわしている。体温が何度代か測るシールである。
【産業上の利用可能性】
【００１０】
競技場等の来場者の検温を来場者自身が随時確認できる体調確認シールとして使用できるのである。
【図１】
0003232398.tif 000003
【図２】
0003232398.tif 000004
(57)【要約】      （修正有）【課題】砂の飛び散りや尿の飛散を防ぐ猫用トイレを提供する。【解決手段】デザイン又は写真を両面印刷加工したダンボールでできた猫用トイレの側面２〜５を覆う長方形箱型のカバーであり、このカバーに形成した半円または丸型の猫の出入り口１を備えた。組み立て、折りたたみが容易にでき軽量にできる。【選択図】図１
0003232335.tif 000002
【実用新案登録請求の範囲】
【請求項１】
デザイン又は写真等を両面印刷加工したダンボールであり、猫用トイレを隠す事を目的とし、砂の飛び散りと尿の飛散を防ぎ、尚且つ部屋と調和し美観を損なわないことを特徴とする。
【考案の詳細な説明】
【技術分野】
【０００１】  本考案は、猫用トイレをデザイン及び写真等で両面印刷加工したダンボールで囲い、砂の飛び散りや尿の飛散を防ぐと同時に部屋の美観を保つものである。
【背景技術】
【０００２】  猫用トイレをリビング等にそのまま置いていると、部屋との調和がとれず見た目が気になっていた。また、排泄物が直接見えたり、砂の飛び散り、尿の飛散という問題もあった。
【考案の概要】
【考案が解決しようとする課題】
【０００３】  猫用トイレをそのままリビング等に置いてしまうと排泄物が直接見えたり、部屋との調和が取れないでいた。また、砂の飛び散りや尿の飛散等の問題もあり課題となっていた。
【課題を解決するための手段】
【０００４】  本考案の両面印刷したダンボールで猫用トイレを囲い隠す事で、直接排泄物が見えず、同時に部屋との調和がとれる。また、砂の飛び散りと尿の飛散も防ぐ事ができる。ダンボールには出入り口を作り、猫は自由に出入りができる為、いつでも排泄が可能となる。
【考案の効果】
【０００５】  デザインまたは写真等を両面印刷したダンボールで猫用トイレを囲い隠す事で、見た目と部屋との調和をとる事ができる。また、ダンボールは軽量である為、清掃時の移動も楽で廃棄する際も通常のダンボールとして廃棄できる。
【図面の簡単な説明】
【０００６】
【図１】本考案の斜視図（出入り口が半円型タイプ）
【図２】本考案の斜視図（出入り口が丸型タイプ）
【図３】本考案の出入り口が半円型タイプの分解図
【図４】本考案の出入り口が丸型タイプの分解図
【考案を実施するための形態】
【０００７】  以下、図１を参照に説明する。短辺と長辺からなる長方形の立体ダンボールは両面テープ部６のテープを剥がし短辺４に接着させて囲いとし、床面に対し立てた状態で使用する形態とする。
【符号の説明】
【０００８】１  出入り口
２，３，４，５  カバー側面部材
６  両面テープ接着部
【図１】
0003232335.tif 000003
【図２】
0003232335.tif 000004
【図３】
0003232335.tif 000005
【図４】
0003232335.tif 000006
【手続補正書】
【提出日】令和2年10月26日(2020.10.26)
【手続補正１】
【補正対象書類名】実用新案登録請求の範囲
【補正対象項目名】全文
【補正方法】変更
【補正の内容】
【実用新案登録請求の範囲】
【請求項１】
デザイン又は写真を両面印刷加工したダンボールでできた猫用トイレカバーであり、猫用トイレの側方を覆う前記カバーと、このカバーに形成した猫の出入り口を備えた簡易組み立て可能で軽量な猫用トイレカバー。
【手続補正書】
【提出日】令和3年2月8日(2021.2.8)
【手続補正１】
【補正対象書類名】実用新案登録請求の範囲
【補正対象項目名】全文
【補正方法】変更
【補正の内容】
【実用新案登録請求の範囲】
【請求項１】
デザイン又は写真を両面印刷加工したダンボールでできた猫用トイレの側面を覆う長方形箱型のカバーであり、このカバーに形成した半円または丸型の猫の出入り口を備えた組み立て、折りたたみが容易にでき軽量な猫用トイレカバー。
(57)【要約】      （修正有）【課題】障害者の方や、ご年配の方にもっと楽に桃を作ってもらうためのロボットを提供する。【解決手段】画像を見て、収穫可能か収穫不可を判断するボックス型の形状を有するロボットであって、収穫を手伝う、もしくは収穫可能か不可能かを対象者に伝える。【選択図】図２
0003232336.tif 000002
【実用新案登録請求の範囲】
【請求項１】
機械学習にて、桃を収穫前のものと収穫できる物を画像判別できるように致しました。
これを、機械に組み込めば機械が自動で収穫できるか出来ないかを判断し、自動で収穫できる事です。
【考案の詳細な説明】
【技術分野】
【０００１】      本考案は、農業やプログラミング（ＡＩ）に関する内容である。
【背景技術】
【０００２】  祖父と祖母が桃を栽培しているが、年もだいぶ取ってしまい農作業が辛くなってきたと言っていた。
祖母と祖父の手伝いを何か自分でしてみたかった。
【考案の概要】
【考案が解決しようとする課題】  ご年配の方の農作業中の事故防止・負担軽減
近年における農業技術者の人口減少の改善
【課題を解決するための手段】    このプログラムと、機械さえあれば上記２点の改善が期待できると思われる。
【考案の効果】    身体に障害がある方や、ご年配の方などは凄く快適になるかと思われる。
また、若者などでも機械が一緒に手伝ってくれるので時間の短縮に繋がるかと思われる。また、目の悪い方の手助けにもなる。
【図面の簡単な説明】
【考案を実施するための形態】
ＡＩにおける深層学習で、画像判断する。
【実施例】    画像を見せて、機械が収穫可能か収穫不可を判断させる
【産業上の利用可能性】    農作業者の人口減少の改善
人件費コスト削減
身体障害者の農業参入を後押し
【符号の説明】
【配列表フリーテキスト】【配列表】
【図１】
0003232336.tif 000003
【図２】
0003232336.tif 000004
【手続補正書】
【提出日】令和2年12月5日(2020.12.5)
【手続補正１】
【補正対象書類名】実用新案登録請求の範囲
【補正対象項目名】全文
【補正方法】変更
【補正の内容】
【実用新案登録請求の範囲】
【請求項１】
ロボットのようなボックス型の形状を有するｊａｄｇｅｒ。
【手続補正３】
【補正対象書類名】明細書
【補正対象項目名】全文
【補正方法】変更
【補正の内容】
【考案の詳細な説明】
【技術分野】
【０００１】      本考案は、農業やプログラミング（ＡＩ）に関する内容である。
【背景技術】
【０００２】  祖父と祖母が桃を栽培しているが、年もだいぶ取ってしまい農作業が辛くなってきたと言っていた。
祖母と祖父の手伝いを何か自分でしてみたかった。
【考案の概要】
【考案が解決しようとする課題】  ご年配の方の農作業中の事故防止・負担軽減
近年における農業技術者の人口減少の改善
【課題を解決するための手段】    このプログラムと、機械さえあれば上記２点の改善が期待できると思われる。
【考案の効果】    身体に障害がある方や、ご年配の方などは凄く快適になるかと思われる。
また、若者などでも機械が一緒に手伝ってくれるので時間の短縮に繋がるかと思われる。また、目の悪い方の手助けにもなる。
【図面の簡単な説明】
【図１】果物が収穫可能かを見分けるためのプログラミングコードになります。従来、何万枚も要する画像データを今回は３５０枚ほどで１００％の学習精度を誇っており、さらに画像データと他の箇所を変更すれば他の果物、穀物などにも対応可能です。
【図２】Ｊａｄｇｅｒの全体像である。様々な技術が組み込まれており、最先端。
【考案を実施するための形態】
ＡＩにおける深層学習で、画像判断する。
【実施例】  画像を見せて、機械が収穫可能か収穫不可を判断させる
【産業上の利用可能性】  農作業者の人口減少の改善
人件費コスト削減
身体障害者の農業参入を後押し
【符号の説明】
【配列表フリーテキスト】【配列表】
【手続補正書】
【提出日】令和3年2月9日(2021.2.9)
【手続補正１】
【補正対象書類名】実用新案登録請求の範囲
【補正対象項目名】全文
【補正方法】変更
【補正の内容】
【実用新案登録請求の範囲】
【請求項１】
画像を見て、収穫可能か収穫不可を判断するボックス型の形状を有するロボット
(57)【要約】      （修正有）【課題】夜間の路上での交通誘導や交通整理の業務において、夜間の走行車両ドライバーから見えやすくしたハンドビーム手袋を提供する。【解決手段】白手袋や白軍手の裏表に反射タスキの反射布を手袋の寸法に合わせて適当な寸法に切り、縫い付ける。ＬＥＤや電子回路、電池もいらず簡単であり、故障をする事も無く、安全性を増す事が出来る。【選択図】図１
0003232340.tif 000002
【実用新案登録請求の範囲】
【請求項１】
交通機動隊、交通整理員、ＤＪポリス、道路工事作業員など夜間の路上での業務、作業は、走行車両とは一触即発の危険がある。カラダ部分への反射ベストやＬＥＤ点滅装着品などは開発され実用されている。さらに紅白手旗に代わりＬＥＤ誘導バトンも使用されているが、これだけでは、誘導が出来ない場合がある。昔からの手信号は欠かせない手段である。しかし、夜間ではドライバーからは、なかなか見えずらい。本考案では、従来の白手袋や白軍手に反射布を裏表に装着して、車のライトを反射させ、ドライバーに見えやすくして、安全を確保する事を特徴とするハンドビーム手袋
【請求項２】
請求項１に記載したハンドビーム手袋において、白手袋や白軍手は従来品を使用、反射布は、従来よりある反射タスキを手袋の寸法に合わせて適当に切り、縫い付けるだけのシンプルイズベストを特徴とするハンドビーム手袋
【考案の詳細な説明】
【考案の詳細な説明】
今日の車社会、事故も多発しているが、特に夜間の路上での業務、作業は大変危険であり、警察官や工事作業の交通整理員などからの指示は見えずらい、ＬＥＤ誘導バトンなどが使用されているが、昔からの手信号は欠かせない手段である。しかし、ドライバーからは見えずらい、そこで、従来の白手袋や白軍手に反射タスキの反射布を適当な寸法に切り、手袋の裏表に縫い付ける。これは、ＬＥＤや電子回路、電池も使用しなく、簡単であり、故障をする事も無く、安全性を増す事が期待されます。
警察官、交通整理員、ＤＪポリス、道路工事作業員などに是非とも使用して欲しいと思います。
【図面の簡単な説明】
【図１】本考案の全体の構成図である。
【図１】
0003232340.tif 000003
【手続補正書】
【提出日】令和3年2月12日(2021.2.12)
【手続補正１】
【補正対象書類名】実用新案登録請求の範囲
【補正対象項目名】全文
【補正方法】変更
【補正の内容】
【実用新案登録請求の範囲】
【請求項１】
ハンドビーム手袋において、白手袋や白軍手に反射布を手袋の寸法に合わせて適当に切り、縫い付けることを特徴とするハンドビーム手袋。
(57)【要約】      （修正有）【課題】園児が製作した作品は画用紙に描いたものや、粘土を用いた細工物など大きさがさまざまなものをコンパクトに収納する画用紙庫を提供する。【解決手段】画用紙庫は、上板１１、側板、底板、裏板１４、桟木１５からなり、棚板２１と桟木１５により作品を収納する。棚板２１は自由に桟木１５に差し込む方式で、画用紙３のように薄いものは何枚も収納できる。粘土細工のように嵩のある作品は棚板２１の数を減らし、重量物であれば棚板２１を数枚重ねれば対応できる。【選択図】図２
0003232381.tif 000002
【実用新案登録請求の範囲】
【請求項１】
上板、側板、底板、裏板、桟木からなり、表面が開放された直方体状の箱で、その箱は棚板と桟木により作品を収納でき、前方の下部と後方の上部に留木を備えた棚板を複数、桟木に差し込めるようにしたことを特徴とする画用紙庫。
【考案の詳細な説明】
【技術分野】
【０００１】本考案は木製の画用紙庫に関する。
【背景技術】
【０００２】園児が画用紙に描いた作品・粘土細工などをコンパクトに収納したい。
【考案の概要】
【考案が解決しようとする課題】
【０００３】園児が製作した作品は画用紙に描いたもの、粘土を用いた細工物など大きさがさまざまでコンパクトに収納しにくい。
【課題を解決するための手段】
【０００４】棚板は自由に桟木に差し込む方式で、画用紙のように薄いものは何枚も収納できる、粘土細工のように嵩のある作品は棚板の数を減らし、重量物であれば棚板を数枚重ねれば対応できることを特徴とした画用紙庫。
【考案の効果】
【０００５】棚板の数を調整すれば薄いものも、嵩のあるものも、重量物も柔軟にかつコンパクトに収納でき、時に画用紙に描いた作品はシワがよっているが、棚板の間に挟めばシワが取れる、
【図面の簡単な説明】
【０００６】
【図１】本考案の画用紙庫の構成（斜視図）
【図２】本考案の画用紙庫の構成（画用紙入と断面図）  （ａ）画用紙入  （ｂ）Ａ−Ａ断面図
【考案を実施するための形態】
【０００７】図１は本考案の画用紙庫の構成（斜視図）である。
画用紙庫１は、上板１１、側板１２、底板１３、裏板１４、桟木１５からなり、表面が開放された直方体状の箱で、その箱は棚板２１と桟木１５により作品を収納する。
【０００８】図２は本考案の画用紙庫の構成を説明するための図で、（ａ）は棚板、（ｂ）は断面図を示す。
（ａ）は棚板２１と棚板２１で挟み込めば作品のシワも取れる。
（ｂ）はＡ−Ａ断面図であり桟木１５に棚板２１を差し込んで使用する。薄い作品は多くの棚板を使い、重量物の作品は棚板を数枚重ねて使って作品を収納する。
前方の下部と後方の上部に留木を備えた棚板を複数、桟木に差し込めるようにした画用紙庫である。
【産業上の利用可能性】
【０００９】収納し易い画用紙庫を提供する。
【符号の説明】
【００１０】１  画用紙庫
１１  上板
１２  側板
１３  底板
１４  裏板
１５  桟木
２  画用紙入
２１  棚板
２１１  留木
３  画用紙
【図１】
0003232381.tif 000003
【図２】
0003232381.tif 000004
(57)【要約】      （修正有）【課題】掃除がし易く、掃除における腰の負担が極めて少ない幼児用下足箱を提供する。【解決手段】幼児用下足箱は、複数個の下足入２からなる下足箱１であって、下足入２は上履棚２１と下足棚２２からなり、それぞれの奥行きは下足箱１の奥行きより小さくして、下足箱１の奥板１３と上履棚２１および下足棚２２の間に隙間２１１、２２１を設けることにより、押板４で靴の砂を奥に押しやって砂を下に落とし掃除をし易くした。【選択図】図２
0003232383.tif 000002
【実用新案登録請求の範囲】
【請求項１】
複数個の下足入からなる下足箱であって、下足入は上履棚と下足棚からなり、それぞれの奥行きは下足箱の奥より小さくして、下足箱の奥板と上履棚および下足棚の間に隙間を設けることにより、押板で靴の砂を奥に押しやって砂を下に落とし掃除をし易くしたことを特徴とした幼児用下足箱。
【請求項２】
押板は下足棚又は上履棚の上面に沿って掃けるようにした長方形状の板で、先端から中ほどにかけて雑巾を巻きつけて、砂を押しやり易くしたことを特徴とする請求項１記載の幼児用下足箱用の押板。
【考案の詳細な説明】
【技術分野】
【０００１】本考案は木製の幼児用下足箱に関する。
【背景技術】
【０００２】幼児は土の上また砂場でよく遊ぶため、従来の下足箱では奥隅に砂が溜まりやすい。
【先行技術文献】
【特許文献】
【０００３】
【特許文献１】実用新案登録第３０２３９６５号公報
【考案の概要】
【考案が解決しようとする課題】
【０００４】  従来の下足箱の各幼児用の個々の下足入は、上履棚や下足棚からなるが、その奥には隙間が無く、下足箱の奥隅には砂が溜まりやく掻きだしが困難で時間もかかる。保育士にとっては１００個以上の下足入を清掃するには時間と手間もかかるし保育士の職業病の１つである腰痛になりやすい。
【課題を解決するための手段】
【０００５】複数個の下足入からなる下足箱であって、下足入は上履棚と下足棚からなり、それぞれの奥行きは下足箱の奥より小さくして、下足箱の奥板と上履棚および下足棚の間に隙間を設けることにより、押板で靴の砂を奥に押しやって砂を下に落として掃除をし易くしたことを特徴とした幼児用下足箱。【０００６】押板は下足棚又は上履棚の上面に沿って掃けるようにした長方形状の板で、先端から中ほどにかけて雑巾を巻きつけて、砂を押しやり易くしたことを特徴とする請求項１記載の幼児用下足箱用の押板。
【考案の効果】
【０００７】保育士は下足入を掃除するとき、押板で砂を奥へ押しやり隙間から最下段まで落とし、そして最下段のみ砂を掻き出して清掃を行えばよいので、保育士にとって、下足箱全体を清掃するには時間と手間もかからなくなる。
下足箱の幼児用の下足入の数が増えると、従来の下足箱では、保育士の職業病の１つである腰痛になりやすいが、本考案の下足箱では、掃除での腰の負担が極めて少なくなる。
【図面の簡単な説明】
【０００８】
【図１】本考案の幼児用下足箱の構成（斜視図）
【図２】本考案の幼児用下足箱の構成（押板と断面図）  （ａ）押板  （ｂ）Ａ−Ａ断面図
【考案を実施するための形態】
【０００９】  図１は本考案の幼児用下足箱の構成（斜視図）である。
幼児用の下足箱１は、上板１１、下板１２、奥板１３、側板１４からなり、表面が開口された直方体状の箱で、その箱は、縦横の仕切板１５で、個々の幼児用に下足入２に区切られている。
夫々の下足入は上履を入れるための上段の上履棚２１と、下履を入れるための下段の下足棚２２からなる。
【００１０】図２は本考案の幼児用下足箱の構成を説明するための図で、（ａ）は押板、（ｂ）は断面図を示す。
（ｂ）は下足箱の断面図で、上履棚２１には、上履３２、下足棚２２には、下足３１または長靴３３をいれる。
各下足入の上履棚２１と下足棚２２は、奥板１３との間に、砂を落せるぐらいの隙間２１１，２２１を設ける。
（ａ）は砂を落すのに使用する押板４の構成を示す。押板４は、木板４１と、雑巾４２、手掛穴４３からなり、木板４１に雑巾４２を巻きつけている。手掛穴４３の部分で木板４１と雑巾４２を持ち、下足入の上履棚２１と下足棚２２の砂５を奥へ押しやる。奥の隙間から最下段へ落下した砂５を、押板４で手前へ掻き出し清掃を行う。
【産業上の利用可能性】
【００１１】掃除しやすい幼児用の下足箱を提供する。
【符号の説明】
【００１２】１  下足箱
１１  上板
１２  下板
１３  奥板
１４  側板
１５  仕切板
２  下足入
２１  上履棚
２１１  隙間
２２  下足棚
２２１  隙間
３  靴
３１  下足
３２  上履
３３  長靴
４  押板
４１  木板
４２  雑巾
４３  手掛穴
５  砂
【図１】
0003232383.tif 000003
【図２】
0003232383.tif 000004
(57)【要約】      （修正有）【課題】運び時に腰痛になるのを防ぐ可動式階段を提供する。【解決手段】可動式階段は、踏板１１、蹴込板１２、側板１３、裏板１４、戸車１５からなる。戸車１５を階段の後方の下部に、床面と戸車１５の間に隙間を設けるように取り付ける。重くて安定感のある階段を移動しやすくするため、階段を傾けた場合のみ戸車１５が床面に接触し、移動を容易にする。【選択図】図２
0003232382.tif 000002
【実用新案登録請求の範囲】
【請求項１】
階段と戸車からなり、戸車を階段の後方の下部に、床面と戸車の間に隙間を設けるように取り付けることにより、階段を傾けた場合のみ戸車が床面に接触し移動を容易にしたことを特徴とした可動式階段。
【考案の詳細な説明】
【技術分野】
【０００１】本考案は木製の可動式階段に関する。
【背景技術】
【０００２】舞台へ昇るための階段を可動式とし移動を楽にした。
【考案の概要】
【考案が解決しようとする課題】
【０００３】従来の舞台へ昇るための階段は昇降時に安定感を必要とするため重くなる。持ち運びは重労働で保育士にとっては職業病の１つである腰痛になりやすい。
【課題を解決するための手段】
【０００４】重くて安定感のある階段を移動しやすくするため、階段を傾けた場合のみ戸車が床面に接触し移動を容易にしたことを特徴とした可動式階段。
【考案の効果】
【０００５】保育士にとっては重い階段の移動は数人掛かりで行っていたが、傾けるだけで戸車が床面に接触し移動が容易になったため１人での移動が可能であり、部屋が広く使え、保育士にとっては職業病の１つである腰痛になりやすいことを防ぐものです。
【図面の簡単な説明】
【０００６】
【図１】本考案の可動式階段の構成  （斜視図）
【図２】本考案の可動式階段の構成  （断面図）
【考案を実施するための形態】
【０００７】図１は本考案の可動式階段の構成（斜視図）である。
可動式階段１は、踏板１１、蹴込板１２、側板１３、裏板１４、戸車１５からなる。
戸車を階段の後方の下部に、床面と戸車の間に隙間を設けるように取り付けることにより、階段を傾けた場合のみ戸車が床面に接触し移動を容易にしている。
【０００８】図２は本考案の可動式階段の構成（断面図）を説明するための図で、踏板１１を持って傾ければすきま１６が無くなり、戸車１５が床面に接触し移動を容易に行うことができる。
【産業上の利用可能性】
【０００９】重い階段を容易に動かすことができる可動式階段を提供する。
【符号の説明】
【００１０】１  可動式階段
１１  踏板
１１１  ノンスリップ溝
１２  蹴込板
１３  側板
１４  裏板
１５  戸車
１６  すきま
【図１】
0003232382.tif 000003
【図２】
0003232382.tif 000004
(57)【要約】      （修正有）【課題】授乳時に、バスト部の上下開閉が自在にでき、乳房の過度な露出を防ぎ、バストの補正機能も維持できる授乳用ブラジャーを提供する。【解決手段】バスト支持フレーム部１を下層とし、バストカバー部２を上層とする二層構造を成し、両部の上辺両端は肩ひも３と縫い止めされ、下辺両端は縫い止めされてバック留め具４と取り付けられ、上層のバストカバー部は下層に対しフリーな形状を成している。従って、バストカバー部は、授乳時には、上下開閉が自在で、乳房の過度な露出を防ぎ、肩ひもとバック留め具を取り付けたバスト支持フレーム部のバスト補正機能も維持される。【選択図】図１
0003232343.tif 000002
【実用新案登録請求の範囲】
【請求項１】
授乳用ブラジャーにおいて、バスト支持フレーム部とバストカバー部とにより形成され、バスト支持フレーム部とバストカバー部の各上辺両端は、肩ひもと縫い止めされ、また、各下辺両端は、縫い止めされてバック留め具と取り付けられた形状を成し、バスト支持フレーム部の上にバストカバー部を被せた状態の二層構造を成していることを特徴とする授乳用ブラジャー。
【請求項２】
前記バストフレーム部とバストカバー部は、二層構造を成し、上層のバストカバー部は、下層のバストフレーム部をカバーしたフリーの形状なので、授乳時におけるバストカバー部の上げ下げ開閉が自在に出来ることを特徴とする請求項１記載の授乳用ブラジャー。
【考案の詳細な説明】
【技術分野】
【０００１】  本考案は、バスト支持フレーム部とバストカバー部の二層構造に形成された授乳用ブラジャーに関するものである。
【背景技術】
【０００２】  従来の授乳用ブラジャーは、伸縮性を有する肩紐とカップを備え、授乳をし易くする為に、左右のカップ下辺中心部に着脱式留め具を取り付けた形態や、ブラジャーの前中心部を開閉式にした形態、或いは、ブラジャーの上部から乳房を引き出す形態がある。
【先行技術文献】
【特許文献】
【０００３】
【特許文献１】実開平０７−００６２１７号  公報
【特許文献２】特開２０１２−１０７３５２号  公報
【考案の概要】
【考案が解決しようとする課題】
【０００４】  授乳用ブラジャーの従来の前記の如何なる形態も、授乳時には乳房上部が広く露出するため、自宅外においては授乳場所の確保は容易ではない。着脱式留め具による方法は、授乳が終る毎に外した留め具を閉じ、乳房を整える手間がかかり、また、授乳した後にはブラジャーの着崩れが生じてバスト補正機能が失われ易い。従って、授乳用ブラジャーの構造を二層式にし、下層にバスト支持フレーム部を設けてバストの補正機能を維持し、上層にバストカバー部を設けることにより、授乳時には、上下開閉が自在にでき、過度な乳房の露出も防ごうとするものである。
【問題を解決するための手段】
【０００５】  本考案は、バスト支持フレーム部とバストカバー部から成り、これらの両部の上辺両端は、肩ひもと縫い止めされ、下辺両端は、縫い止めされてバック留め具と取り付けられている。バスト支持フレーム部を下層、バストカバー部を上層とする二層構造に形成され、上層のバストカバー部は、下層に被せたフリーな状態を成しているので、授乳時にはカバーの上下開閉が容易となる。
【０００６】  本考案の二層構造の下層を成すバスト支持フレーム部は肩ひもとバック留め具が取り付けられ、授乳時には乳房を底辺フレームから支える補正機能を有する。
【考案の効果】
【０００７】  本考案は前述の様に、二層構造を成し。上層のバストカバー部は、下層のバスト支持フレーム部と上下辺両端部で縫い止めされて、バストカバー中心部は、浮いた形状に取り付けられている。従って、授乳時には、簡単にカバー部を上げ下げ出来、乳房上部はカバー部に覆われるので、過度な露出を防ぎ、授乳場所の確保も容易となる。また、下層のバスト支持フレーム部の補正機能により、授乳時及び授乳後の授乳用ブラジャーの着崩れと乳房の垂下りが解消されるものである。
【図面の簡単な説明】
【０００８】
【図１】本考案の全体の外見的形状を示す正面図である。
【図２】本考案のバスト支持フレーム部の正面図である。
【図３】本考案のバストカバー部の正面図である。
【図４】本考案のバストカバー部の一実施例である。
【図５】本考案の一実施例を示す図である。
【図６】従来型の授乳時のイメージ図である。
【図７】本考案の授乳時のイメージ図である。
【図８】本考案を応用した一実施例である。
【図９】本考案を応用した一実施例である。
【考案を実施するための形態】
【０００９】  本考案を、バスト支持フレーム部を下層、バストカバー部を上層とし、上下層の上下辺両端部で縫い止めする二層構造にすることにより、授乳時にはバストカバー部独自の開閉が自在にできることになる。
【実施例】
【００１０】  本考案の実施の形態について、以下、図面を参照して説明する。以下に説明する形態は本考案の実施形態の一例であり、本考案の実施形態は、これに限定されるものではない。【００１１】  図１は、外見的形状を示している。バスト支持フレーム部１を下層、バストカバー部２を上層とし、１と２をそれぞれの上辺両端部ａで肩ひも３と縫い止めされ、さらに、下辺両端部ｂは縫い止めされバック留め具４と取り付けられる。下辺両端部ｂを縫い止めする場合、バスト支持フレーム部１にバック留め具を先に取り付け、バストカバー部の縫い止め位置を変えこともできる。【００１２】  図３及び図４は、バストカバー部を示し、図４は、バストカバー部２の裏面にカップ５を設けた一実施例である。バストカバー部は弾性伸縮性を有し、カップ５はモールド熱成型により成すことが好ましい。【００１３】  図５は、授乳時にバストカバー部２を上に開けた状態を示す説明図で、図７のイメージ図と共に、バスト上部の露出を防ぐことが示されている。【００１４】  図８及び図９は、本考案を応用した実施例を示し、ブラキャミソール図８、ボディスーツ図９等多彩に展開することができる。
【符号の説明】
【００１５】１  バスト支持フレーム部
２  バストカバー部
３  肩ひも
４  バック留め具
５  カップ
ａ  上辺両端部の縫い止め部
ｂ  下辺両端部の縫い止め部
【図１】
0003232343.tif 000003
【図２】
0003232343.tif 000004
【図３】
0003232343.tif 000005
【図４】
0003232343.tif 000006
【図５】
0003232343.tif 000007
【図６】
0003232343.tif 000008
【図７】
0003232343.tif 000009
【図８】
0003232343.tif 000010
【図９】
0003232343.tif 000011
【手続補正書】
【提出日】令和3年2月13日(2021.2.13)
【手続補正１】
【補正対象書類名】実用新案登録請求の範囲
【補正対象項目名】請求項２
【補正方法】変更
【補正の内容】
【請求項２】
前記バストフレーム部とバストカバー部は、二層構造を成し、上層のカバー部は、下層のバストフレーム部を覆い被せた浮いた状態に形成され、授乳時におけるバストカバー部の上げ下げ開閉が自在にできることを特徴とする請求項１記載の授乳用ブラジャー。
(57)【要約】      （修正有）【課題】新型コロナウイルス感染対策用のマイバッグのハンドカバーを提供する。【解決手段】矩形状のカバー本体１の表面の布１ａの上部に面ファスナー２ａを取り付け、矩形状のカバー本体の裏面の布の下部に面ファスナーを取り付けた。使用するときは、マイバッグの取っ手にハンドカバーを巻きつけて、面ファスナーで装着する。【選択図】図１
0003232140.tif 000002
【実用新案登録請求の範囲】
【請求項１】
矩形状のカバー本体（１）の表面の布（１ａ）の上部に面ファスナー（２ａ）を取り付け、矩形状のカバー本体（１）の裏面の布（１ｂ）の下部に面ファスナー（２ｂ）を取り付けたことを特徴としたハンドカバー。
【考案の詳細な説明】
【技術分野】
【０００１】  本考案は、矩形状のカバー本体の表面の布の上部に面ファスナーを取り付け、矩形状のカバー本体の裏面の布の下部に面ファスナーを取り付けたことを特徴とした新型コロナウイルス感染対策用のマイバックなどのハンドカバーに関するものである。
【背景技術】
【０００２】  従来、新型コロナウイルス感染対策用の医療用の手袋などがあった。
新型コロナウイルスの感染に恐怖を感じ、何か、予防法はないかと思いハンドカバーを考えた。
【先行技術文献】
【特許文献】
【０００３】
【特許文献１】実開平６−６１２１２号公報
【考案の概要】
【考案が解決しようとする課題】
【０００４】（イ）不衛生なマイバッグが多く、新型コロナウイルス感染が心配であった。
（ロ）エコバッグを使う人は増えているが、さまざまな食品を入れ、持ち歩くバッグは気付かない間に不衛生になっていた。
（ハ）新型コロナウイルスの感染源にもなりかねず、常に清潔にしておきたい要望があった。
本考案は、以上の問題点を解決するためになされたものである。
【課題を解決するための手段】
【０００５】  矩形状のカバー本体（１）の表面の布（１ａ）の上部に面ファスナー（２ａ）を取り付け、矩形状のカバー本体（１）の裏面の布（１ｂ）の下部に面ファスナー（２ｂ）を取り付けたことを特徴としたハンドカバーである。
【考案の効果】
【０００６】（イ）マイバックにハンドカバーの装着が簡単で、使うのもとても便利である。
（ロ）取り外しが簡単にできるので、洗うことも、消毒も簡単にできる。
（ハ）ハンドカバーは、何度でも洗って使える。
（ニ）ハンドカバーは、そのものを消毒できる。
（ホ）トイレのハンドル、電車、バスの吊り輪、トレーに握り手など、ハンドカバーを置いて握るだけで利用できる。
（ヘ）子どもでも、簡単に使用できる。
以上のように、病気の感染を防止できるハンドカバーを提供できる。
【図面の簡単な説明】
【０００７】
【図１】  本考案の表面を示した説明図である。
【図２】  本考案の裏面を示した説明図である。
【考案を実施するための形態】
【０００８】  以下、本考案の実施の形態について説明する。
矩形状のカバー本体（１）の表面の布（１ａ）の上部に面ファスナー（２ａ）を取り付け、矩形状のカバー本体（１）の裏面の布（１ｂ）の下部に面ファスナー（２ｂ）を取り付けたことを特徴としたハンドカバーである。
本考案は以上のような構造である。
本考案を使用するときは、マイバックの取っ手にハンドカバーを巻き付けて、面ファスナーで装着するだけである。
ハンドカバーの大きさは、大、中、小にすれば、いろんな所で対応できる。
たとえば、買い物袋の持手、ハンドバックの持手、カートの持手、電車、バスの吊り輪、トイレのハンドルなど、いろいろな所で使える。
何時でも、２〜３個携帯して、多くの人が使用すれば、新型コロナウイルス感染対策の予防に役に立つ。
ハンドカバーは、平面形状なので、携帯もかさばらず便利である。
とても簡単に装着ができて、使うのもとても便利である。
【符号の説明】
【０００９】１  カバー本体
１ａ  カバー本体の表面の布
１ｂ  カバー本体の裏面の布
２ａ  面ファスナー
２ｂ  面ファスナー
【図１】
0003232140.tif 000003
【図２】
0003232140.tif 000004
(57)【要約】      （修正有）【課題】手指の爪を剪み切るようにした牙付き剪刃爪切りを提供する。【解決手段】爪切り本体の上切刃台２の一端に、咬合せ案内牙４を形成し、咬合せ案内牙４の根際から他端に向け、下切刃台２′に対向して他端が広開口となるように上下切刃３、３′を研削し、上切刃３が咬合せ案内牙４を介して下切刃３′の内側に滑接し、大きく開閉口して鋏み切るようにした。【選択図】図１
0003232131.tif 000002
【実用新案登録請求の範囲】
【請求項１】
爪切り本体の上切刃台２の一端に、咬合せ案内牙４を形成する咬合せ案内牙４の根際から他端に向け、下切刃台２′に対向して他端が広開口となるように上下切刃３３′を研削する、
上切刃３が咬合せ案内牙４を介して下切刃３′の内側に滑接し、大きく開閉口して▲鋏▼み切るようにした牙付き剪刃爪切り。
【考案の詳細な説明】
【技術分野】
【０００１】  本考案は、手指の爪を剪み切るようにした牙付き剪刃爪切りに関する。
【背景技術】
【０００２】  従来、爪切りは、図３のような噛み切るものが主流であった。
【先行技術文献】
【特許文献】
【０００３】
【特許文献１】実登３１９３９３８号公報
【考案の概要】
【考案が解決しようとする課題】
【０００４】  噛み切りには、次のような欠点があった。
手、足の爪を切るとき音が発生し、爪屑がとび散る。
回りの人に嫌がられる。
一気に噛み切るから爪にショックを与え、又割れることがある。
深爪したり指先を怪我することがあった。
【課題を解決するための手段】
【０００５】  爪切り本体を形成する部材の長サの中心を、跳ね返りバネになるように曲げ、部材の両縁端を、下側は上方に曲げ上側は先に曲げた部材の内面側に滑接するように曲げて、上下両刃台とする。【０００６】  下刃台の縁先を研削し切刃とし、上刃台の縁先一端に咬合せ案内牙を設け、その根際から他端に向けて、下刃に対し鋭角となるように切刃を研削する。【０００７】  爪切本体の限られた刃巾では、切刃を斜めにしただけでは爪切りとしての充分な開口が得られない、本考案は、上刃台切刃の一端に咬合せ案内牙を設けることにより広く開口でき爪の押入が容易になる。
また、広く開口しても上刃と下刃が咬み違うことなく刃を閉じることができる。なおこの説明に係る提子の操作は省略する。
以上の構成であるから従来の欠点をなくすことができる。
【考案の効果】
【０００８】  上述のような構成であるので総ての次点を解決し、いつでもどこでも回りの人に迷惑かけることなく使用できるようになった。
【図面の簡単な説明】
【０００９】
【図１】本考案が主願とする剪刃を表らす全体等角投影図である。
【図２】本考案の実施例を示す等角投影図である。
【図３】
0003232131.tif 000003
【図４】本考案が主願とする剪刃部分と上刃台外前面の円曲部分を拡大表示した等角投影図である。
【考案を実施するための形態】
【００１０】  爪切り本体となる硬板部材の両縁端を切刃台とするため面同方向に曲げ、その部材の中心となる部分を、切刃台部の両方が内側に向い合う形で、下切刃台部の内側に上切刃台部の外面側が滑接するように弾力を持たせて跳ね返りバネとし、本体とする。
なお、本体上部に設ける操作用の梃子の説明については省略する。
【００１１】  切刃台部の縁端先の切刃研削については下刃は下切刃台縁端の内側に切刃を研削し、上刃は、上切刃台部一端に咬合せ案内牙を残設しその根際から、下切刃に対して鋭角となるように他端に向けて研削し、下切刃と上切刃が滑接自在に開口閉口できるようにし刃口が大きく開くようにする、
上切刃台の前表面を円弧状にすることで切刃が閉口時最後まで滑接が完全に行えるようになる。
【実施例】
【００１２】  以下、添付図面に従って実施例を説明する．１１′は硬板部材を用いた爪切り本体で、２２′はその上下両縁端を内側に曲設した切刃台である、下刃台２′の内面側縁先に切刃３′を研削し、上刃台２の外面縁先一端に咬合せ案内牙４を形作しその根際から他端に向け、下切刃３′に対し鋭角になるように上切刃３を研削し、下切刃３′と上切刃３が咬合せ牙４を介して滑接できるようにすると切刃口が広く開くようになり、爪の挿入が容易となる。【００１３】  いま、爪を切刃３３′の間に挿入して、本体上部に設けてある挺子９を押下すると本体上下板１１′の間隔は狭まくなってゆく、上下切刃３３′は咬合案内牙４を介して徐々に狭くなってゆき爪を切除しながら完全に閉じる、挺子９の押圧が解除されゝば本体のバネ部７によって上下切刃３３′は復開する。
【符号の説明】
【００１４】１    硬板部材で形成した本体の上板
１′  硬板部材で形成した本体の下板
２    上切刃台と表面
２′  下切刃台と研削部分
３    上切刃と鋭角を示す
３′  下切刃
４    咬合せ案内牙
５    跳返りバネ曲げから上切刃台前表面円弧までの半径中心支点
６    上切刃台前表面
７    跳返りバネ曲り
８    挺子軸
５    跳返りバネ曲げから上切刃台前表面円弧までの半径中心支点
９    操作挺子                １４  切れてゆく爪と爪削の状態
１０  本体上面                Ｒ    ５６の半径
１１  跳返りバネ上面
１２  ヤスリ
１３  指
【図１】
0003232131.tif 000004
【図２】
0003232131.tif 000005
【図３】
0003232131.tif 000006
【図４】
0003232131.tif 000007
(57)【要約】【課題】美観や強度、堅牢性に優れていると同時に、より均質で量産や施工に適し低コストである床暖房フローリングに対応した床材を提供する。【解決手段】硬質木材からなる板目無垢材の挽き板を表層１及び裏層２とし、細片化した木材３ａと硬化した熱硬化性樹脂３ｂとの密着接合混在物が全体として層体となったものを中間層３として、三層合板構造の床暖房フローリングに対応した床材とする。【選択図】図１
0003232141.tif 000002
【実用新案登録請求の範囲】
【請求項１】
硬質木材からなる板目無垢材の挽き板を表層及び裏層とし、細片化した木材と硬化した熱硬化性樹脂との密着接合混在物が全体として層体となったものを中間層として、三層合板構造に形成されていることを特徴とする床暖房フローリングに対応した床材。
【考案の詳細な説明】
【技術分野】
【０００１】この考案は、床暖房のフローリングに対応した床材に関する。
【背景技術】
【０００２】床下の循環温水を熱源として暖房する床暖房は、室内の空気を汚すことなく均一に暖め火災リスクが少ないことから、近年、新築住宅等において人気がある。この床暖房に対応したフローリングである床材には、突き板合板、無垢単板、挽き板合板の３タイプがあるとされるが、一般床材に比べ温度変化による変形リスクや強度、耐久性などの対策を要することから高コストになりがちである。【０００３】そこで近年、下層となる挽き板の上に多数の細長い挽き板を木目が直交するように並設し、その上に表層となる挽き板を載置接合して一体化したものが、床暖房用のフローリング材として使われている。これは突き板合板タイプのものに比べ美観や強度において優れているものの、製造に手間取り、均質な堅牢性、耐久性等において難点がある。【０００４】またオール無垢単板より成る床材は高級感があるものの、温度や湿度の高低に伴う膨張収縮への対策や施工が難しく、コスト高である等の問題点があった。【０００５】
【考案の開示】
【考案が解決しようとする課題】
【０００６】本考案はこのような現状に鑑み、美観や強度、堅牢性に優れていると同時に、より均質で量産や施工に適した低コストな床暖房フローリングに対応した床材を提供することを課題とする。
【課題を解決するための手段】
【０００７】上記課題を解決するために、本考案においてはこの床材を、例えば桧のような硬質木材からなる板目無垢材の挽き板を表層１及び裏層２とし、細片化した木材３ａと硬化した熱硬化性樹脂３ｂとの密着接合混在物が全体として層体となったものを中間層３として、三層合板構造の床暖房フローリングに対応した床材に形成するものとする。【０００８】ここにおいて表層１と裏層２は、基本的にいずれも同じ硬質木材からなる板目無垢材の挽き板（突き板とは桁違いの厚板）であるが、実際に使用するときには、床の上面になる表層１は美観などの必要性から節の無いものが選ばれるなど、裏層２とは区別される。【０００９】木材などの植物繊維を原料とし、ドライプロセスによって製造される繊維板（ファイバーボード）のうち、比重が０．３５以上のものを中質繊維板（ＭＤＦ）というが、本考案における中間層３はこの範疇に相当するが、本考案においてこれを構成する細片化した木材３ａは必ずしも植物繊維のみから成るものではなく、リグリン等の成分が除かれている必要はないし、おが屑（おが粉）のような小粒の粉粒体でもよい。【００１０】また別の構成材である硬化した熱硬化性樹脂３ｂは、例えばメラミン樹脂が代表的なものとして挙げられるが、これは硬化前は細片化した木材３ａとよくなじんで熱プレスにより容易に強靭な板状の中間層３を形成する。つまり硬化後は必然的に「密着接合混在物」となり、これは単なる混在物とは異なる。【００１１】すなわち製造プロセスにおいては、この中間層３の硬化前の材料を裏層２の上に層状に展延して後に表層１を被せ熱圧着して硬化させる方式と予め薄板状に硬化成型したものを表裏層の間に挟んで接着合体させる方式とがあるが、いずれの場合も硬化後の製品の構成・構造は同じものとなる。
【考案の効果】
【００１２】本考案によれば、従来の突き板を用いたものに比べ美観や強度、耐久性において優れ、無垢単板のものよりコストや施工性においてメリットがあるのみでなく、従来の挽き板を用いたもので、中間層として予め下層となる挽き板の上に多数の細長い挽き板を木目が直交するように並設し、その上に表層となる挽き板を載置接合して一体化させたものに比べて圧倒的に製品のぶれが少なく安定性や均一性が長期にわたり保持されるとともに、床暖房による熱膨張収縮に伴う部分的変形を防ぐ全体が均一堅牢な本考案の製品は量産にも適した形となり、それが大幅なコスト低下につながるという効果がある。
【考案を実施するための形態】
【００１３】製造プロセスについては前記の何れかは問わないが、完成品の典型的寸法は、厚みが表層１、中間層３、裏層２の各３ｍｍを合わせた９ｍｍで、縦横を規格の１８２０×１３０ｍｍ、又は９１０×１３０ｍｍとし、表層１と裏層２は共に板目桧の挽き板とするが特に表層１には節の無いものを選定する。
【００１４】中間層３を構成する細片化した木材３ａは製材工場で大量に生じるおが屑を用い、熱硬化性樹脂にはメラミン樹脂を用いて、これらを前記のように混合しプレス加熱して合板状の床暖房対応のフローリング材とする。なお本考案はかかる例に限定されるものではない。
【産業上の利用可能性】
【００１５】本考案の床暖房フローリングに対応した床材は、将来的にニーズがより増大すると予想されるなかで量産に耐えられるものであり、品質、物性的にもメリットが大きいから、産業上の利用可能性は十分にあるといえる。
【図面の簡単な説明】
【００１６】
【図１】本考案の一部拡大断面図
【図２】本考案全体の見取図
【符号の説明】
【００１７】    １……表層
２……裏層
３……中間層
３ａ……細片化した木材
３ｂ……硬化した熱硬化性樹脂
【図１】
0003232141.tif 000003
【図２】
0003232141.tif 000004